(57)【要約】【課題】ガイド部を備えない構成に比べて、ブラケットの凹部へのケーブル支持装置の挿入性を向上させる。【解決手段】ケーブル支持装置は、ケーブルが挿入される、貫通孔が形成された管状部を含む本体であって、管状部の外周面に雄ねじが形成されている、本体と、雌ねじが内周面に形成された環状のナット部材と、雄ねじに対して第１の方向の一方側に配置されたストッパと、ナット部材に対してストッパに接近する方向の回転力を付与する付勢部材と、を備える。ストッパには、第１の方向視で、管状部に対して第１の方向に垂直な第２の方向の少なくとも一方側の位置であって、かつ、ナット部材と対向する位置に配置されたガイド部が形成されており、ガイド部は、第１の方向と第２の方向との両方に垂直な第３の方向の一方側に向かうに連れて、ナット部材から遠ざかるように傾斜している第１の傾斜部分を含む。【選択図】図８
2020045967.tif 000002
【特許請求の範囲】
【請求項１】
ケーブルを支持するケーブル支持装置であって、
前記ケーブルが挿入される、第１の方向に延びている貫通孔が形成された管状部を含む本体であって、前記管状部の外周面に雄ねじが形成されている、本体と、
前記管状部に形成された前記雄ねじに螺合する雌ねじが内周面に形成された環状のナット部材と、
前記管状部に形成された前記雄ねじに対して前記第１の方向の一方側に配置され、前記第１の方向において前記ナット部材と対向するストッパと、
前記ナット部材に対して前記ストッパに接近する方向の回転力を付与する付勢部材と、
を備え、
前記ストッパには、前記第１の方向視で、前記管状部に対して前記第１の方向に垂直な第２の方向の少なくとも一方側の位置であって、かつ、前記ナット部材と対向する位置に配置されたガイド部が形成されており、
前記ガイド部は、前記第１の方向と前記第２の方向との両方に垂直な第３の方向の一方側に向かうに連れて、前記ナット部材から遠ざかるように傾斜している第１の傾斜部分を含む、
ケーブル支持装置。
【請求項２】
請求項１に記載のケーブル支持装置であって、
前記ガイド部は、さらに、前記第１の傾斜部分における前記第３の方向の他方側の端から、前記第３の方向の前記他方側に向かうに連れて、前記ナット部材から遠ざかるように傾斜している第２の傾斜部分を含む、
ケーブル支持装置。
【請求項３】
請求項２に記載のケーブル支持装置であって、
前記第２の傾斜部分の前記ナット部材に対する傾斜角度は、前記第１の傾斜部分の前記ナット部材に対する傾斜角度より小さい、
ケーブル支持装置。
【請求項４】
請求項２または請求項３に記載のケーブル支持装置であって、
前記第１の傾斜部分における前記第３の方向の前記他方側の端の位置は、前記第３の方向において、前記管状部の中心軸と同じ位置である、
ケーブル支持装置。
【発明の詳細な説明】
【技術分野】
【０００１】
本明細書に開示される技術は、ケーブルを支持するケーブル支持装置に関する。
【背景技術】
【０００２】
従来、例えば車両用コントロールケーブルなどのケーブルを支持するケーブル支持装置が知られている（特許文献１参照）。このケーブル支持装置は、本体と、環状のナット部材と、ストッパと、コイルスプリングと、を備える。本体には、ケーブルが挿入される貫通孔が形成されており、本体の外周面には、雄ねじが形成されている。ナット部材は、本体に形成された雄ねじに螺合する雌ねじが内周面に形成されている。ストッパは、本体に形成された雄ねじに対して上記貫通孔の軸方向の一方側に配置され、該軸方向においてナット部材と対向する。コイルスプリングは、コイルスプリングの内周側に本体を収容するように配置され、ナット部材に対してストッパに接近する方向の回転力を付与する。このような構成により、本体におけるナット部材とストッパとの間の部分が、ブラケットに形成された凹部に挿入され、コイルスプリングによって付与される回転力によってブラケットがナット部材とストッパとの間に挟み込まれる。これにより、ケーブルを支持したケーブル支持装置をブラケットに装着することができる。
【先行技術文献】
【特許文献】
【０００３】
【特許文献１】特開２０１１−１３３０２０号公報
【発明の概要】
【発明が解決しようとする課題】
【０００４】
上述した従来のケーブル支持装置では、ブラケットの凹部に挿入する際、ブラケットの先端部分がケーブル支持装置の特定部位に干渉して、ケーブル支持装置をブラケットの凹部に円滑に挿入できないことがある。一方、ブラケットの先端部分がケーブル支持装置の特定部位に干渉することを回避するために、ナット部材とストッパとの間の距離を長く確保すると、例えば、ケーブル支持装置をブラケットの凹部に挿入する際にケーブル支持装置が、がたつきやすくなったり、付勢部材の弾性変形量の増大に起因して付勢部材の劣化が進行しやすくなったりするおそれがある。
【０００５】
本明細書では、上述した課題の少なくとも一部を解決することが可能な技術を開示する。
【課題を解決するための手段】
【０００６】
本明細書に開示される技術は、以下の形態として実現することが可能である。
【０００７】
（１）本明細書に開示されるケーブル支持装置は、ケーブルを支持するケーブル支持装置であって、前記ケーブルが挿入される、第１の方向に延びている貫通孔が形成された管状部を含む本体であって、前記管状部の外周面に雄ねじが形成されている、本体と、前記管状部に形成された前記雄ねじに螺合する雌ねじが内周面に形成された環状のナット部材と、前記管状部に形成された前記雄ねじに対して前記第１の方向の一方側に配置され、前記第１の方向において前記ナット部材と対向するストッパと、前記ナット部材に対して前記ストッパに接近する方向の回転力を付与する付勢部材と、を備え、前記ストッパには、前記第１の方向視で、前記管状部に対して前記第１の方向に垂直な第２の方向の少なくとも一方側の位置であって、かつ、前記ナット部材と対向する位置に配置されたガイド部が形成されており、前記ガイド部は、前記第１の方向と前記第２の方向との両方に垂直な第３の方向の一方側に向かうに連れて、前記ナット部材から遠ざかるように傾斜している第１の傾斜部分を含む。
【０００８】
本ケーブル支持装置では、ストッパに、第１の方向視で、管状部に対して第１の方向に垂直な第２の方向の少なくとも一方側の位置であって、かつ、ナット部材と対向する位置に配置されたガイド部が形成されている。ガイド部は、第１の傾斜部分を含む。第１の傾斜部分は、第１の方向と第２の方向との両方に垂直な第３の方向の一方側に向かうに連れて、ナット部材から遠ざかるように傾斜している。このため、本ケーブル支持装置を、ブラケットに形成された凹部へ挿入する際、ブラケットにおける凹部を構成する先端部分が、ストッパに形成されたガイド部の第１の傾斜部分にガイドされることによって、ナット部材とストッパとの間のさらに奥側に円滑に挿入される。これにより、本ケーブル支持装置によれば、ガイド部を備えない構成に比べて、ブラケットの凹部へのケーブル支持装置の挿入性を向上させることができる。
【０００９】
（２）上記ケーブル支持装置において、前記ガイド部は、さらに、前記第１の傾斜部分における前記第３の方向の他方側の端から、前記第３の方向の前記他方側に向かうに連れて、前記ナット部材から遠ざかるように傾斜している第２の傾斜部分を含む構成としてもよい。
【００１０】
本ケーブル支持装置では、ガイド部は、さらに、第２の傾斜部分を含む。第２の傾斜部分は、第１の傾斜部分における第３の方向の他方側の端から、第３の方向の他方側に向かうに連れて、ナット部材から遠ざかるように傾斜している。これにより、本ケーブル支持装置によれば、例えば、ガイド部が、第１の傾斜部分の端からナット部材に平行な方向に延びる平坦部を含む構成に比べて、ナット部材とストッパとの間に介在するブラケットとガイド部との接触抵抗が小さいため、ブラケットの凹部に対するケーブル支持装置の挿入と抜き取りとを円滑に行うことができる。
【００１１】
（３）上記ケーブル支持装置において、前記第２の傾斜部分の前記ナット部材に対する傾斜角度は、前記第１の傾斜部分の前記ナット部材に対する傾斜角度より小さい構成としてもよい。
【００１２】
本ケーブル支持装置では、第２の傾斜部分のナット部材に対する傾斜角度は、第１の傾斜部分のナット部材に対する傾斜角度より小さい。これにより、本ケーブル支持装置によれば、例えば、第２の傾斜部分のナット部材に対する傾斜角度が、第１の傾斜部分のナット部材に対する傾斜角度と同等以上である構成に比べて、ナット部材と第２の傾斜部分との間の隙間が狭くなる。その結果、ケーブル支持装置がブラケットから抜けようとする力に対する抵抗力を向上させることができ、また、ブラケットに対するケーブル支持装置のがたつき度合いを軽減することができる。
【００１３】
（４）上記ケーブル支持装置において、前記第１の傾斜部分における前記第３の方向の前記他方側の端の位置は、前記第３の方向において、前記管状部の中心軸と同じ位置である構成としてもよい。
【００１４】
本ケーブル支持装置では、第１の傾斜部分における第３の方向の他方側の端の位置（すなわち、第１の傾斜部分と第２の傾斜部分との隣接位置）は、第３の方向において、管状部の中心軸と同じ位置である。これにより、本ケーブル支持装置によれば、例えば、第１の傾斜部分の上記端の位置が第３の方向において管状部の中心軸とは異なる位置である構成に比べて、アンダーカット部分が無いため、本体を型抜きにより容易に作製することができる。
【００１５】
本明細書によって開示される技術は、種々の形態で実現することが可能であり、例えば、ケーブル支持装置や、ケーブル支持方法等の形態で実現することが可能である。
【図面の簡単な説明】
【００１６】
【図１】本実施形態におけるケーブル支持装置１００の外観構成を示す斜視図である。
【図２】図１におけるケーブル支持装置１００のＸＺ平面構成を示す説明図である。
【図３】図１におけるケーブル支持装置１００のＹＺ平面構成を示す説明図である。
【図４】ケーブル支持装置１００を分解した状態を示す斜視図である。
【図５】ナット部材１０４の後方側の構成を示す斜視図である。
【図６】ブラケット６００に対するナット部材１０４の係止状態を示す説明図である。
【図７】ブラケット６００に対するストッパ１２０の係止状態を示す説明図である。
【図８】図２におけるＸ１部分（ナット部材１０４とストッパ１２０との対向部分）を拡大して示す説明図である。
【図９】ケーブル支持装置１００のＸＺ平面構成を示す説明図である。
【図１０】ケーブル支持装置１００の外観構成を示す斜視図である。
【図１１】ケーブル支持装置１００のＸＺ平面構成を示す説明図である。
【発明を実施するための形態】
【００１７】
Ａ．実施形態：
Ａ−１．ケーブル支持装置１００の構成：
図１は、本実施形態におけるケーブル支持装置１００の外観構成を示す斜視図であり、図１には、ケーブル支持装置１００がブラケット６００に装着される前の状態が示されている。図２は、図１におけるケーブル支持装置１００のＸＺ平面構成を示す説明図であり、図３は、図１におけるケーブル支持装置１００のＹＺ平面構成を示す説明図であり、図３には、後述のコイルスプリング１０６等の一部分が仮想線で示されている。図４は、ケーブル支持装置１００を分解した状態を示す斜視図である。各図には、方向を特定するための互いに直交するＸＹＺ軸が示されている。本明細書では、便宜的に、Ｚ軸正方向を上方向といい、Ｚ軸負方向を下方向というものとするが、ケーブル支持装置１００は実際にはそのような向きとは異なる向きで設置されてもよい。図５以降についても同様である。
【００１８】
ケーブル支持装置１００は、ケーブル１を支持しつつ、ブラケット６００に装着される装置である。具体的には、ケーブル１は、例えば、車両用のトランスミッションケーブルである。ブラケット６００は、シフトレバーを備えるシフトレバー装置（図示しない）に設けられている。ブラケット６００の上端には、ケーブル支持装置１００が装着される略Ｕ字状の凹部６１０が開口形成されている。凹部６１０は、所定の方向（Ｘ軸方向  以下、「ケーブル挿入方向」ともいう）視で略円形状の装着凹部６１２と、ブラケット６００の上端から装着凹部６１２まで上下方向（Ｚ軸方向）に延びているガイド凹部６１４と、を含んでいる。凹部６１０のうち、互いに対向し、ガイド凹部６１４を構成する一対の対向部６２０同士の幅（凹部６１０のＹ軸方向の開口幅）は、装着凹部６１２の直径より小さい。ケーブル１の一方の端末側は、トランスミッション（図示しない）に接続されており、ケーブル１の他方の端末側は、ブラケット６００に装着されたケーブル支持装置１００に支持されつつ、シフトレバーに接続される。このような構成により、トランスミッションとシフトレバーとがケーブル１によって連動可能に連結されている。
【００１９】
図１から図４に示すように、ケーブル支持装置１００は、カバー部１０２と、ナット部材１０４と、コイルスプリング１０６と、ロック部材１０８と、スリーブ１０９と、を備えている。
【００２０】
（カバー部１０２の構成）
カバー部１０２は、管状部１１０とストッパ１２０とハブ１３０とを含んでいる。図４に示すように、管状部１１０は、ケーブル挿入方向（Ｘ軸方向）に直線状に延びる貫通孔１１２が形成された管状の部分である。管状部１１０の外周面には、雄ねじ１１４が形成されている。ストッパ１２０は、環状の部分であり、管状部１１０に形成された雄ねじ１１４に対してケーブル挿入方向の一方側（Ｘ軸負方向側  以下、「後方側」という）に配置されている。ストッパ１２０の外径は、管状部１１０の外径より大きく、ケーブル挿入方向視で、ストッパ１２０の外形線が、全周にわたって、管状部１１０の外形線の外側に位置している。換言すれば、ケーブル挿入方向視で、ストッパ１２０は、全周にわたって、管状部１１０の外側に張り出している。また、ストッパ１２０における貫通孔１１２の中心軸に垂直な一の方向（Ｙ軸方向）の両側には、上下方向（Ｚ軸方向）に延びている一対のロックガイド溝１２２が形成されている。なお、各ロックガイド溝１２２内には、突起（図示しない）が形成されている。
【００２１】
（ハブ１３０の構成）
ハブ１３０は、筒状であり、管状部１１０に形成された雄ねじ１１４に対してケーブル挿入方向の他方側（Ｘ軸正方向側  以下、「前方側」という）に配置されている。ハブ１３０と管状部１１０とは、ハブ１３０の中心軸と、管状部１１０の貫通孔１１２の中心軸とが、略同一の仮想直線Ｌ（図４参照）上に位置するように配置されている。また、ハブ１３０の外径は、管状部１１０の外径より小さい。ハブ１３０における後方側の端部が、管状部１１０の貫通孔１１２に一体成型されている。なお、管状部１１０とストッパ１２０とは、例えば樹脂（例えばガラスを含む樹脂）により形成されており、ハブ１３０は、例えば金属により形成されている。
【００２２】
（ナット部材１０４の構成）
ナット部材１０４は、環状の部材であり、ナット部材１０４の内周面に雌ねじ１４０が形成されている（図４参照）。ナット部材１０４の雌ねじ１４０に、カバー部１０２の管状部１１０に形成された雄ねじ１１４が螺合されている。また、図２に示すように、ナット部材１０４における後方側の端面（以下、「ナット側対向面１４６」という）は、ケーブル挿入方向において、ストッパ１２０における前方側の端面（以下、「ストッパ側対向面１２４」という）と対向している。これにより、ナット部材１０４が回転すると、ナット側対向面１４６とストッパ側対向面１２４との間の距離が変化する。なお、ナット部材１０４の外周面には、ローレット１４４が形成されている。ナット部材１０４は、例えば樹脂（例えばガラスを含む樹脂）により形成されている。
【００２３】
（コイルスプリング１０６の構成）
図１、図３および図４に示すように、コイルスプリング１０６は、該コイルスプリング１０６の内周側にカバー部１０２における管状部１１０を収容するように配置されている。具体的には、コイルスプリング１０６は、ケーブル挿入方向（Ｘ軸方向）視で、管状部１１０とナット部材１０４との間に介在するように配置されている。コイルスプリング１０６により、ナット部材１０４に対してストッパ１２０に接近する方向（Ｘ軸負方向）の回転力が付与されている。
【００２４】
具体的には、図３および図４に示すように、コイルスプリング１０６における第１の端部１６０は、ケーブル挿入方向（Ｘ軸方向）視で、コイルスプリング１０６の外周側に突出するように折り曲げられている。一方、ナット部材１０４における前方側（ストッパ１２０とは反対側）の端部には、切り欠き１４２が形成されている。コイルスプリング１０６における第１の端部１６０は、このナット部材１０４に形成された切り欠き１４２に係止されている。コイルスプリング１０６における第２の端部１６２は、ケーブル挿入方向視で、コイルスプリング１０６の内周側に突出するように折り曲げられている。一方、カバー部１０２の管状部１１０の外周面には、挿入溝１１６が形成されている。挿入溝１１６は、コイルスプリング１０６における第２の端部１６２を係止する。なお、管状部１１０の外周面には、さらに、ガイド溝１１８が形成されており、ガイド溝１１８は、コイルスプリング１０６における第２の端部１６２を挿入溝１１６に導く。
【００２５】
（ロック部材１０８の構成）
図４に示すように、ロック部材１０８は、上下方向（Ｚ軸方向）に延びる一対のアーム部１８０と、一対のアーム部１８０の上端部同士を連結する連結部１８２と、を含んでいる。ロック部材１０８は、例えば樹脂により形成されており、弾性変形可能である。一対のアーム部１８０は、それぞれ、ストッパ１２０に形成された一対のロックガイド溝１２２に上下方向に沿って挿入可能とされている。これにより、ロック部材１０８は、連結部１８２の下面がストッパ１２０に接触するロック位置（図１および図２参照）と、連結部１８２の下面がストッパ１２０から上方に離間するロック解除位置（後述の図１０および図１１参照）との間で移動可能とされている。
【００２６】
図４に示すように、ロック部材１０８の各アーム部１８０のうち、他方のアーム部１８０と対向する面には、係合凹部１８４が形成されている。ロック部材１０８がロック解除位置にあるときに、各アーム部１８０に形成された係合凹部１８４が、ロックガイド溝１２２に形成された上述の突起に係合し、これにより、ロック部材１０８は、ロック解除位置に仮保持される。連結部１８２は、アーム部１８０からナット部材１０４側（前方側）に突出するように形成されている。また、連結部１８２には、カバー部１０２の周方向の両側のそれぞれに突出する一対の突出部１８６が形成されている。
【００２７】
（スリーブ１０９の構成）
スリーブ１０９は、筒状の部材であり、例えば樹脂により形成されている。スリーブ１０９は、カバー部１０２の貫通孔１１２の後方側（ハブ１３０とは反対側）に配置されている。図４に示すように、スリーブ１０９の一端には、球状部１０９Ａが形成されており、この球状部１０９Ａがカバー部１０２の貫通孔１１２に挿入されている。これにより、スリーブ１０９は、球状部１０９Ａを中心として傾動可能にカバー部１０２に支持されている。
【００２８】
Ａ−２．ナット部材１０４をブラケット６００に係止するための構成：
図５は、ナット部材１０４の後方側の構成を示す斜視図であり、図６は、ブラケット６００に対するナット部材１０４の係止状態を示す説明図である。図６には、ケーブル支持装置１００のうち、ナット部材１０４のみ図示されており、また、ブラケット６００が仮想線で示されている。
【００２９】
図５および図６に示すように、ナット部材１０４のナット側対向面１４６には、ナット側係り部１４８が形成されている。ナット側係り部１４８は、ナット側対向面１４６のうち、ナット部材１０４の周方向（貫通孔１１２の軸を中心とする周方向、「ケーブル周方向」ともいう）における一部分に形成されている。換言すれば、ナット側対向面１４６には、ケーブル周方向において、ナット側係り部１４８が形成された係止部分と、ナット側係り部１４８が形成されていない非係止部分とが存在する。ナット側係り部１４８は、ナット側対向面１４６から後方側に突出するように形成されており、ケーブル挿入方向（Ｘ軸方向）視で、ケーブル周方向に延びている円弧状の外周面１４９を有する。ナット側係り部１４８の外周面１４９の曲率は、ブラケット６００の装着凹部６１２の曲率と略同一である。このため、ナット側係り部１４８は、装着凹部６１２内に挿入され、かつ、外周面１４９が装着凹部６１２の内周面に係止可能である（図６参照）。
【００３０】
図６に示すように、ナット側係り部１４８の外周面１４９のケーブル周方向の長さＷ１は、ケーブル支持装置１００が挿入されるブラケット６００における一対の対向部６２０のケーブル周方向の離間距離Ｗ２（ブラケット６００の凹部６１０におけるケーブル周方向の開口幅）より長い。これにより、ナット側係り部１４８の外周面１４９は、ブラケット６００における一対の対向部６２０に跨がるように配置され、かつ、一対の対向部６２０の両方に係止することが可能である。本実施形態では、外周面１４９が一対の対向部６２０に跨がる位置になるように、ナット部材１０４の回転位置が調整されている。なお、ナット側係り部１４８の外周面１４９の長さＷ１は、該外周面１４９を円弧とする円の全周長の１／４以上であることが好ましく、また、同円の全周長の１／２以下であることが好ましい。
【００３１】
図５および図６に示すように、ナット部材１０４のナット側対向面１４６のうち、ナット側係り部１４８が形成された上記係止部分は、雌ねじ１４０の一部を兼ねている。すなわち、係止部分は、雌ねじ１４０における不完全な山を構成している。また、ナット部材１０４のナット側対向面１４６のうち、ナット部材１０４のケーブル周方向においてナット側係り部１４８が形成されていない非係止部分には、雌ねじ１４０のうち、ナット部材１０４の係止部分に連なる部分（完全な山）が露出している。換言すれば、雌ねじ１４０は、ナット部材１０４の内周面のうち、ナット部材１０４のナット側対向面１４６まで形成されている。これにより、ナット部材１０４において、ナット側対向面１４６と雌ねじ１４０との間に無駄な部分が存在しないため、ケーブル挿入方向（Ｘ軸方向）におけるナット部材１０４の小型化を図ることができる。
【００３２】
Ａ−３．ストッパ１２０をブラケット６００に係止するための構成：
図７は、ブラケット６００に対するストッパ１２０の係止状態を示す説明図である。図７には、ロック部材１０８が省略されており、また、ブラケット６００が仮想線で示されている。図２、図４および図７に示すように、ストッパ１２０のストッパ側対向面１２４には、ストッパ側係り部１２８が形成されている。ストッパ側係り部１２８は、ストッパ側対向面１２４から前方側に突出するように形成されており、ケーブル挿入方向（Ｘ軸方向）視で、ケーブル周方向に延びている円弧状の外周面１２９を有する。ストッパ側係り部１２８の外周面１２９と、ナット側係り部１４８の外周面１４９とは、ケーブル挿入方向視で、互いに同一の円上に位置するように配置されている。ストッパ側係り部１２８の外周面１２９のケーブル周方向の長さＷ３は、ナット部材１０４に形成されたナット側係り部１４８の外周面１４９のケーブル周方向の長さＷ１より長い。
【００３３】
また、ストッパ側係り部１２８は、ケーブル周方向において分断された分断部分１２８Ａが形成されている。本実施形態では、分断部分１２８Ａには、ロック部材１０８が配置される配置台１２５が形成されている（図４および図７参照）。本実施形態では、ストッパ側係り部１２８の外周面１２９の長さＷ３は、ブラケット６００における装着凹部６１２の内周面のケーブル周方向の長さと略同一であり、分断部分１２８Ａのケーブル周方向の長さは、ブラケット６００における一対の対向部６２０の離間距離Ｗ２と略同一である。ストッパ側係り部１２８の外周面１２９の曲率は、ブラケット６００の装着凹部６１２の曲率と略同一である。このため、ストッパ側係り部１２８は、装着凹部６１２内に挿入され、かつ、外周面１２９が装着凹部６１２の内周面に係止可能である（図７参照）。
【００３４】
ケーブル挿入方向（Ｘ軸方向）視で、ナット部材１０４に形成されたナット側係り部１４８の少なくとも一部は、ストッパ１２０に形成されたストッパ側係り部１２８の分断部分１２８Ａに位置している。具体的には、図６に示すように、ナット側係り部１４８は、ケーブル周方向視で、分断部分１２８Ａを含み、かつ、ストッパ側係り部１２８における分断された両端部分を含む位置に形成されている（図６および図７参照）。
【００３５】
Ａ−４．ナット部材１０４とストッパ１２０との間にブラケット６００をガイドするための構成：
図８は、図２におけるＸ１部分（ナット部材１０４とストッパ１２０との対向部分）を拡大して示す説明図である。図７に示すように、ストッパ１２０には、一対のガイド部１２７が形成されている。一対のガイド部１２７は、ケーブル挿入方向（Ｘ軸方向）視で、管状部１１０に対して、該ケーブル挿入方向に垂直な水平方向（Ｙ軸方向）の両側の位置であって、かつ、ナット部材１０４（ナット側対向面１４６）と対向する位置に形成されている。すなわち、ガイド部１２７は、ケーブル挿入方向視で、ストッパ側対向面１２４のうち、ケーブル支持装置１００をブラケット６００の凹部６１０に挿入する過程で各対向部６２０が通過する位置に形成されている。図７および図８に示すように、ガイド部１２７は、第１の傾斜部分１２７Ａを含んでいる。第１の傾斜部分１２７Ａは、上下方向（Ｚ軸方向）の一方側（図８では下側  ブラケット６００への挿入方向側）に向かうに連れて、ナット部材１０４から遠ざかるように傾斜している。なお、第１の傾斜部分１２７Ａは、傾斜平面でもよいし、傾斜曲面でもよい。
【００３６】
また、ガイド部１２７は、第２の傾斜部分１２７Ｂを含んでいる。第２の傾斜部分１２７Ｂは、第１の傾斜部分１２７Ａの上側の端から上下方向（Ｚ軸方向）の他方側（図８では上側  ブラケット６００からの離脱方向側）に向かうに連れて、ナット部材１０４から遠ざかるように傾斜している。なお、第２の傾斜部分１２７Ｂは、傾斜平面でもよいし、傾斜曲面でもよい。
【００３７】
また、第２の傾斜部分１２７Ｂの、ナット部材１０４（ナット側対向面１４６）に対する第２の傾斜角度θ２は、第１の傾斜部分１２７Ａの、ナット部材１０４に対する第１の傾斜角度θ１より小さい。なお、第１の傾斜角度θ１および第２の傾斜角度θ２は、いずれも鋭角である。これにより、第１の傾斜角度θ１が相対的に急勾配になるため、ナット部材１０４とストッパ１２０との間の広がり幅Ｅ１を相対的に広く確保できる。また、第２の傾斜部分１２７Ｂにおける係り代Ｅ２が相対的に広いため、ケーブル支持装置１００がブラケット６００に装着された後、ブラケット６００の凹部６１０からケーブル支持装置１００が抜けることを抑制することができる。
【００３８】
また、第１の傾斜部分１２７Ａの上側の端の位置は、上下方向（Ｚ軸方向）において、管状部１１０（貫通孔１１２）の中心軸Ｚと略同じ位置である。具体的には、図８に示すように、第１の傾斜部分１２７Ａにおける上側の端と第２の傾斜部分１２７Ｂにおける下側の端とが連続してつながっており、第１の傾斜部分１２７Ａと第２の傾斜部分１２７Ｂとの境界が仮想直線Ｌ上に位置している。
【００３９】
なお、ケーブル挿入方向（Ｘ軸方向）は、特許請求の範囲における第１の方向に相当し、管状部１１０とハブ１３０との組み合わせの構成は、特許請求の範囲における本体に相当する。コイルスプリング１０６は、特許請求の範囲における付勢部材に相当する。水平方向（Ｙ軸方向）は、特許請求の範囲における第２の方向に相当し、上下方向（Ｚ軸方向）は、特許請求の範囲における第３の方向に相当する。
【００４０】
Ａ−５．ケーブル支持装置１００の組み付け工程および装着工程：
図９は、本実施形態におけるケーブル支持装置１００のＸＺ平面構成を示す説明図である。図９には、ブラケット６００の対向部６２０の先端が、ケーブル支持装置１００におけるナット部材１０４とストッパ１２０との間に挿入された状態が示されている。また、図１０は、本実施形態におけるケーブル支持装置１００の外観構成を示す斜視図であり、図１０には、ケーブル支持装置１００がブラケット６００に装着された状態が示されている。図１１は、図１０におけるケーブル支持装置１００のＸＺ平面構成を示す説明図である。
【００４１】
ケーブル支持装置１００において、カバー部１０２に、ナット部材１０４とコイルスプリング１０６とロック部材１０８とを組み付ける工程は、次の通りである。例えば、ナット部材１０４を、カバー部１０２における管状部１１０に螺合させる。また、ロック部材１０８を、カバー部１０２におけるストッパ１２０において、ロック解除位置に位置するように配置する。
【００４２】
次に、コイルスプリング１０６を、そのナット部材１０４と管状部１１０との間に配置する。具体的には、コイルスプリング１０６の第１の端部１６０を、ナット部材１０４の切り欠き１４２に係止させずに、コイルスプリング１０６の第２の端部１６２を、管状部１１０に形成されたガイド溝１１８から挿入する。コイルスプリング１０６の第２の端部１６２は、ガイド溝１１８に沿って挿入溝１１６にガイドされ係止される。次に、コイルスプリング１０６の第１の端部１６０を、ナット部材１０４の切り欠き１４２に係止させる。これにより、コイルスプリング１０６により、ナット部材１０４に対してストッパ１２０に接近する方向（Ｘ軸負方向）の回転力が付与されている。ナット部材１０４を回転力に抗してストッパ１２０から離間する方向に移動させ、ロック部材１０８を下方向（Ｚ軸負方向）に下げて、連結部１８２をナット側対向面１４６とストッパ１２０の間に介在させる。以上により、ケーブル支持装置１００の組み付け工程は完了する。
【００４３】
ケーブル１を支持するケーブル支持装置１００を、ブラケット６００に装着するための作業工程は、次の通りである。まず、ケーブル支持装置１００に備えられたカバー部１０２の貫通孔１１２に、ケーブル１を挿入する。次に、ナット部材１０４を、コイルスプリング１０６の付勢力に抗して、ストッパ１２０から離間する方向に回転させて、ナット部材１０４のナット側対向面１４６とストッパ１２０のストッパ側対向面１２４との間の離間距離を、ロック部材１０８の連結部１８２の前後方向（Ｘ軸方向）の幅寸法より長くする。ナット側対向面１４６とストッパ側対向面１２４との離間距離が連結部１８２の幅寸法より長い状態で、ロック部材１０８をロック解除位置からロック位置に移動させる。次に、ナット部材１０４から手を離すことにより、ナット部材１０４が、コイルスプリング１０６の付勢力によって、ストッパ１２０に接近する方向に回転する。その結果、図１および図２に示すように、ロック部材１０８の連結部１８２が、ナット部材１０４のナット側対向面１４６とストッパ１２０のストッパ側対向面１２４との間に挟み込まれる。このとき、ナット側対向面１４６とストッパ側対向面１２４との離間距離は、ブラケット６００の厚さ寸法より長い。ただし、ガイド部１２７とナット部材１０４のナット側対向面１４６との間の距離は、ブラケット６００の厚さ寸法より広い。
【００４４】
次に、ケーブル支持装置１００におけるナット側対向面１４６とストッパ側対向面１２４との間の部分を、ブラケット６００の凹部６１０内に挿入する。この過程で、図９に示すように、ブラケット６００の各対向部６２０が、ストッパ１２０に形成されたガイド部１２７とナット部材１０４との間に進入していく。ここで、上述したように、ガイド部１２７とナット側対向面１４６との間の距離は、ブラケット６００の厚さ寸法より広く設定されている。また、ガイド部１２７の頂点（第１の傾斜部分１２７Ａと第２の傾斜部分１２７Ｂとの境界）から下側（ブラケット６００側）に向かうに連れて、ガイド部１２７とナット側対向面１４６との間の距離は、第１の傾斜部分１２７Ａの傾斜に応じて広くなっている。このため、各対向部６２０は、第１の傾斜部分１２７Ａにガイドされることによって、ガイド部１２７とナット側対向面１４６との間に円滑に挿入される。
【００４５】
次に、ロック部材１０８の突出部１８６の下面が、ブラケット６００における一対の対向部６２０のそれぞれの上面に当接して押し上げられることによって、ロック部材１０８がロック位置からロック解除位置に移動する。これにより、ナット側対向面１４６とストッパ側対向面１２４との間にロック部材１０８が介在しなくなる。その結果、ナット部材１０４が、コイルスプリング１０６の付勢力によって、ストッパ１２０に接近する方向に回転し、ナット側対向面１４６とストッパ側対向面１２４との間にブラケット６００が挟み込まれる（図１０参照）。このとき、ナット部材１０４におけるナット側係り部１４８の外周面１４９が装着凹部６１２の内周面に係止される。また、ストッパ１２０におけるストッパ側係り部１２８の外周面１２９が装着凹部６１２の内周面に係止される（図６、図７および図１１参照）。以上により、ケーブル支持装置１００がブラケット６００に装着される。
【００４６】
Ａ−６．本実施形態の効果：
以上説明したように、本実施形態に係るケーブル支持装置１００では、ナット部材１０４におけるナット側対向面１４６のうち、ケーブル周方向の一部分に、ナット側係り部１４８が形成されている。ナット側係り部１４８は、ケーブル挿入方向（Ｘ軸方向）視で、管状部１１０の中心軸を中心とする円弧状の外周面１４９を有する。本ケーブル支持装置１００を、ブラケット６００に形成された凹部６１０へ挿入する際、ナット側係り部１４８が、ブラケット６００における凹部６１０の内壁面に係るように配置することが可能である（図６参照）。これにより、本ケーブル支持装置１００によれば、ナット部材１０４に係り部が形成されていない構成に比べて、ブラケット６００に対するケーブル支持装置１００のがたつき度合いや、ブラケット６００の凹部６１０の軸方向に対するケーブル支持装置１００の傾斜を軽減することができる。また、本ケーブル支持装置１００によれば、ナット側係り部１４８がナット部材１０４の全周にわたって形成されている構成に比べて、ナット側係り部１４８とブラケット６００の凹部６１０との寸法誤差に起因してナット側係り部１４８がブラケット６００の凹部６１０に挿入できなくなることを抑制することができる。
【００４７】
本ケーブル支持装置１００では、ナット側係り部１４８のケーブル周方向の長さＷ１は、ケーブル支持装置１００が挿入されるブラケット６００の凹部６１０におけるケーブル周方向の離間距離Ｗ２より長い（図６参照）。このため、ナット側係り部１４８が、ブラケット６００のうち、凹部６１０を構成する一対の対向部６２０の両方に係るように、ケーブル支持装置１００を、ブラケット６００の凹部６１０に挿入させることができる。これにより、本ケーブル支持装置１００によれば、ナット側係り部１４８の長さＷ１が、ブラケット６００の凹部６１０の離間距離Ｗ２以下である構成に比べて、ブラケット６００に対するケーブル支持装置１００のがたつき度合い等を、より効果的に軽減することができる。また、ブラケット６００における凹部６１０の開口側は、ケーブル支持装置１００と接触しないため、ケーブル支持装置１００のがたつきの要因になり易いため、一対の対向部６２０の両方にナット側係り部１４８が係ることが特に有効である。
【００４８】
本ケーブル支持装置１００では、ナット側係り部１４８が形成されたナット部材１０４の一部分（係止部分）は、雌ねじ１４０の一部を兼ねている。また、ナット部材１０４におけるナット側対向面１４６のうち、ナット部材１０４のケーブル周方向の上記一部分とは異なる他の部分（非係止部分）には、雌ねじ１４０のうち、ナット部材１０４の一部分に連なる部分が露出している（図５および図６参照）。これにより、本ケーブル支持装置１００によれば、ナット部材１０４のストッパ１２０と対向する側が雌ねじ１４０を兼ねない構成に比べて、ナット部材１０４のケーブル挿入方向の小型化を図りつつ、ナット側係り部１４８を用いることによって、ブラケット６００に対するケーブル支持装置１００のがたつき度合いを軽減することができる。
【００４９】
本ケーブル支持装置１００では、ストッパ１２０におけるストッパ側対向面１２４には、ストッパ側係り部１２８が形成されている。ストッパ側係り部１２８は、ケーブル挿入方向視で、管状部１１０の中心軸を中心とする円弧状の外周面１２９を有する（図７参照）。また、ストッパ側係り部１２８のケーブル周方向の長さＷ３が、ナット部材１０４に形成されたナット側係り部１４８のケーブル周方向の長さＷ１より長い。これにより、本ケーブル支持装置１００によれば、例えば、ストッパ側係り部１２８の長さＷ３が、ナット側係り部１４８の長さＷ１以下である構成に比べて、ブラケット６００に対するケーブル支持装置１００のがたつき度合い等を、より効果的に軽減することができる。
【００５０】
本ケーブル支持装置１００では、ケーブル挿入方向視で、ナット部材１０４に形成されたナット側係り部１４８の少なくとも一部は、ストッパ側係り部１２８の分断部分１２８Ａに位置している（図６参照）。このため、ストッパ側係り部１２８の分断部分１２８Ａに起因して生じる、ブラケット６００に対するケーブル支持装置１００のがたつき度合い等が、ナット部材１０４に形成されたナット側係り部１４８によって抑制される。これにより、本ケーブル支持装置１００によれば、ナット側係り部１４８が、ストッパ側係り部１２８の分断部分１２８Ａに位置していない構成に比べて、ブラケット６００に対するケーブル支持装置１００のがたつき度合い等を、より効果的に軽減することができる。
【００５１】
本ケーブル支持装置１００では、ストッパ１２０に、ケーブル挿入方向視で、管状部１１０に対して水平方向の少なくとも一方側の位置であって、かつ、ナット部材１０４と対向する位置に配置されたガイド部１２７が形成されている（図８参照）。ガイド部１２７は、第１の傾斜部分１２７Ａを含む。第１の傾斜部分１２７Ａは、上下方向の一方側（下側）に向かうに連れて、ナット部材１０４から遠ざかるように傾斜している。このため、本ケーブル支持装置１００を、ブラケット６００に形成された凹部６１０へ挿入する際、凹部６１０を構成する先端部分（対向部６２０）が、ガイド部１２７の第１の傾斜部分１２７Ａにガイドされることによって、ブラケット６００の先端部分が、ナット部材１０４とストッパ１２０との間のさらに奥側に円滑にガイドされる。これにより、本ケーブル支持装置１００によれば、ガイド部１２７とナット側対向面１４６との間の距離が、一律、ガイド部１２７の頂点とナット側対向面１４６との距離と同じである構成に比べて、ブラケット６００の凹部６１０へのケーブル支持装置１００の挿入性（挿入のしやすさ）を向上させることができる。
【００５２】
本ケーブル支持装置１００では、ガイド部１２７は、さらに、第２の傾斜部分１２７Ｂを含む。第２の傾斜部分１２７Ｂは、第１の傾斜部分１２７Ａにおける上方側の端から、上側に向かうに連れて、ナット部材１０４から遠ざかるように傾斜している（図８参照）。これにより、本ケーブル支持装置１００によれば、例えば、ガイド部１２７が、第１の傾斜部分１２７Ａの端からナット部材１０４に平行な方向に延びる平坦部を含む構成に比べて、ナット部材１０４とストッパ１２０との間に介在するブラケット６００とガイド部１２７との接触抵抗が小さいため、ブラケット６００の凹部６１０に対するケーブル支持装置１００の挿入と抜き取りとを円滑に行うことができる。また、本ケーブル支持装置１００によれば、ガイド部１２７が、第２の傾斜部分１２７Ｂも平坦部分も備えず、第１の傾斜部分が鋭角である構成に比べて、第１の傾斜部分１２７Ａが補強され、ブラケット６００の凹部６１０へのケーブル支持装置１００の挿入性を向上させることができる。
【００５３】
本ケーブル支持装置１００では、第２の傾斜部分１２７Ｂのナット部材１０４に対する第２の傾斜角度θ２は、第１の傾斜部分１２７Ａのナット部材１０４に対する第１の傾斜角度θ１より小さい。これにより、本ケーブル支持装置１００によれば、例えば、第２の傾斜角度θ２が、第１の傾斜角度θ１と同等以上である構成に比べて、ナット部材１０４と第２の傾斜部分１２７Ｂとの間の隙間が狭くなる。その結果、ケーブル支持装置１００がブラケット６００から抜けようとする力に対する抵抗力を向上させることができ、また、ブラケット６００に対するケーブル支持装置１００のがたつき度合いを軽減することができる。
【００５４】
本ケーブル支持装置１００では、第１の傾斜部分１２７Ａの上端の位置（すなわち、第１の傾斜部分１２７Ａと第２の傾斜部分１２７Ｂとの隣接位置）は、上下方向において、管状部１１０の中心軸と同じ位置である。これにより、本ケーブル支持装置１００によれば、例えば、第１の傾斜部分１２７Ａの上端の位置が上下方向において管状部１１０の中心軸とは異なる位置である構成に比べて、アンダーカット部分が無いため、本体を型抜きにより容易に作製することができる。
【００５５】
Ｂ．変形例：
本明細書で開示される技術は、上述の実施形態に限られるものではなく、その要旨を逸脱しない範囲において種々の形態に変形することができ、例えば次のような変形も可能である。
【００５６】
上記実施形態におけるケーブル支持装置１００の構成は、あくまで例示であり、種々変形可能である。例えば、上記実施形態において、カバー部１０２は、ハブ１３０を備えない構成であってもよい。
【００５７】
上記実施形態において、ナット部材１０４の係止部として、切り欠き１４２を例示したが、これに限らず、例えば係止用凸部など、他の係止手段によってコイルスプリング１０６の第１の端部１６０を係止する構成であってもよい。また、ナット部材１０４とストッパ１２０とは、互いの少なくとも一部が前後方向（Ｘ軸方向）において対向すればよい。
【００５８】
上記実施形態において、付勢部材として、コイルスプリング１０６を例示したが、付勢部材は、コイルスプリング１０６以外の他の付勢部材（例えば、他の形状のスプリングやゴム材）であってもよい。
【００５９】
上記実施形態において、ナット部材１０４は、複数のナット側係り部１４８が、ケーブル周方向に並ぶようにナット側対向面１４６に形成されている構成であってもよい。また、上記実施形態において、ナット側係り部１４８の外周面１４９の長さＷ１は、ブラケット６００における一対の対向部６２０の離間距離Ｗ２以下であってもよい。
【００６０】
上記実施形態において、ナット部材１０４は、ナット側対向面１４６のうち、ナット側係り部１４８が形成された係止部分が、雌ねじ１４０を兼ねない構成であってもよい。また、ストッパ側係り部１２８の外周面１２９の長さＷ３は、ナット部材１０４に形成されたナット側係り部１４８の外周面１４９の長さＷ１以下であってもよい。ストッパ側係り部１２８は、ケーブル挿入方向（Ｘ軸方向）視で、分断部分１２８Ａを有しない、環状であってもよい。
【００６１】
上記実施形態において、ナット部材１０４のナット側対向面１４６にナット側係り部１４８が形成されていなくてもよい。上記実施形態において、ケーブル挿入方向（Ｘ軸方向）視で、ナット部材１０４に形成されたナット側係り部１４８は、ストッパ１２０に形成されたストッパ側係り部１２８の分断部分１２８Ａに位置しなくてもよい。
【００６２】
上記実施形態において、ストッパ１２０に、ガイド部１２７が１つ、または３つ以上形成されていてもよい。また、ガイド部１２７は、第２の傾斜部分１２７Ｂを含まない構成であってもよい。また、第２の傾斜部分１２７Ｂの第２の傾斜角度θ２は、第１の傾斜部分１２７Ａの第１の傾斜角度θ１以上であってもよい。また、第１の傾斜部分１２７Ａの上側の端の位置は、上下方向（Ｚ軸方向）において、管状部１１０（貫通孔１１２）の中心軸Ｚより下側でもよいし、上側でもよい。
【００６３】
また、上記実施形態におけるケーブル支持装置１００を構成する各部材の形成材料は、あくまで例示であり、各部材が他の材料により形成されてもよい。
【００６４】
上記実施形態では、ケーブル支持装置１００が支持するケーブルとして、車両用のトランスミッションケーブル（ケーブル１）を例示したが、これに限らず、ケーブルは、例えば、その他の遠隔操作用のケーブル（パーキングブレーキケーブル、フードケーブル、フューエルリッドケーブル、ラゲージケーブルなど）でもよい。また、上記実施形態では、ケーブル支持装置１００が装着されるブラケット６００の凹部６１０の形状は、装着凹部６１２とガイド凹部６１４とを含む形状であったが、これに限らず、他の形状でもよく、例えば、ガイド凹部６１４を構成する一対の対向部６２０同士の幅（凹部６１０のＹ軸方向の開口幅）が装着凹部６１２の直径と略同一である形状であってもよい。
【００６５】
また、本明細書において、「垂直」には、厳密な意味での垂直（９０度）であることだけではなく、９０度に対して±５度程度の誤差を有することも含まれる。また、「対向」には、他の部材を介さずに直接に互いに向き合うことだけでなく、他の部材を介して、互いに向き合うことも含まれる。
【符号の説明】
【００６６】
１：ケーブル  １００：ケーブル支持装置  １０２：カバー部  １０４：ナット部材  １０６：コイルスプリング  １０８：ロック部材  １０９：スリーブ  １０９Ａ：球状部  １１０：管状部  １１２：貫通孔  １１４：雄ねじ  １１６：挿入溝  １１８：ガイド溝  １２０：ストッパ  １２２：ロックガイド溝  １２４：ストッパ側対向面  １２５：配置台  １２７：ガイド部  １２７Ａ：第１の傾斜部分  １２７Ｂ：第２の傾斜部分  １２８：ストッパ側係り部  １２８Ａ：分断部分  １２９：外周面  １３０：ハブ  １４０：雌ねじ  １４２：切り欠き  １４４：ローレット  １４６：ナット側対向面  １４８：ナット側係り部  １４９：外周面  １６０：第１の端部  １６２：第２の端部  １８０：アーム部  １８２：連結部  １８４：係合凹部  １８６：突出部  ６００：ブラケット  ６１０：凹部  ６１２：装着凹部  ６１４：ガイド凹部  ６２０：対向部  Ｅ１：広がり幅  Ｅ２：係り代  Ｌ：仮想直線  Ｗ１，Ｗ３：長さ  Ｗ２：離間距離  Ｚ：中心軸  θ１：第１の傾斜角度  θ２：第２の傾斜角度
【図１】
2020045967.tif 000003
【図２】
2020045967.tif 000004
【図３】
2020045967.tif 000005
【図４】
2020045967.tif 000006
【図５】
2020045967.tif 000007
【図６】
2020045967.tif 000008
【図７】
2020045967.tif 000009
【図８】
2020045967.tif 000010
【図９】
2020045967.tif 000011
【図１０】
2020045967.tif 000012
【図１１】
2020045967.tif 000013